(57)【要約】【課題】本発明は、保持筒内に残った化粧料を確実な方法で押し出し、この押し出した化粧料を有効に使用できるようにした棒状化粧料繰り出し容器に関するものである。【解決手段】棒状化粧料１を収嵌保持する保持筒２を上下摺動させる繰り出し機構１７を内装し、前記保持筒２を固定部材３２と、固定部材３２に上下摺動可能に取り付けられた摺動部材２３に分割し、該摺動部材２３を上方に摺動させる事により内部に設けられた保持部１０１により保持した棒状化粧料１を押し出す構成において、前記摺動部材２３に、棒状化粧料１を保持する保持壁面１６ｂの一部を設ける。この摺動部材２３の保持壁面１６ｂは、逆Ｕ字形状に成形する。【選択図】          図２
2004229693.tif 000002
【特許請求の範囲】
【請求項１】
棒状化粧料１を収嵌保持する保持筒２を上下摺動させる繰り出し機構１７を内装し、前記保持筒２を固定部材３２と、該固定部材３２に上下摺動可能に取り付けられた摺動部材２３に分割し、該摺動部材２３を上方に摺動させる事により内部に設けられた保持部１０１により保持した棒状化粧料１を押し出す構成において、
前記摺動部材２３に、棒状化粧料１を保持する保持壁面１６ｂの一部を設けたことを特徴とする棒状化粧料繰り出し容器。
【請求項２】
前記保持壁面１６ｂは、保持筒２全周の１／２以下であることを特徴とする請求項１記載の棒状化粧料繰り出し容器。
【請求項３】
前記保持壁面１６ｂは、保持筒２全周の１／２以上であることを特徴とする請求項１記載の棒状化粧料繰り出し容器。
【請求項４】
前記摺動部材２３の反保持壁面１６ｂ側には、脱落防止片２７ａを突設し、該脱落防止片２７ａと保持壁面１６ｂにより、押し出した棒状化粧料１を保持させる事を特徴とする請求項２記載の棒状化粧料繰り出し容器。
【請求項５】
前記摺動部材２３の保持壁面１６ｂの側壁に、棒状化粧料１を保持するリブ１１４若しくは保持穴１０１ｂを設けた事を特徴とする請求項２、３、４記載の棒状化粧料繰り出し容器。
【請求項６】
前記摺動部材２３の保持壁面１６ｂは、逆Ｕ字形状であることを特徴とする請求項２、３、４、５記載の棒状化粧料繰り出し容器。
【発明の詳細な説明】
【０００１】
【発明の属する技術分野】
本発明は、口紅、スティックファンデーション等の棒状化粧料を収納した棒状化粧料繰り出し容器において、収容した棒状化粧料を有効に使用できる容器に関するものである。
【０００２】
【従来の技術】
従来、口紅、スティックファンデーション等の棒状化粧料は、繰り出し機構により昇降動する棒状化粧料繰り出し容器に収容され、必要に応じて棒状化粧料を繰り出して塗布していた。この棒状化粧料繰り出し容器は、棒状化粧料の端部を保持筒に保持されていた。したがって、保持筒に保持された部分の化粧料は使用できず不経済であった。
【０００３】
そこで、実開昭５１−７３２７７号公報、特開平８−１５００１７号公報などにより、棒状化粧料を保持する保持筒内に残った化粧料を有効に利用する構成が数多く提案されている。この種の構成のほとんどは、保持筒の底部を何らかの手段で押し上げ、保持筒内の残留化粧料を保持筒外に押し出していた。
【０００４】
【発明が解決しようとする課題】
しかし、保持筒内より押し出された化粧料は、保持筒の保持部分がなくなり、不用意に抜け取れてしまったりすることがあった。また、充分に棒状化粧料を使用できるのに、不注意で保持筒の底部を摺動させてしまった場合、元に戻すのが不可能で、棒状化粧料繰り出し容器が使用不能となってしまう危険性もあった。これは、棒状化粧料を押し出した際の、棒状化粧料の保持量を大きくすれば解消できるのであるが、保持部分、つまり使用できない化粧料の量が多くなってしまう問題点も発生してしまった。
【０００５】
そこで本発明は、保持筒内に残った化粧料を確実な方法で押し出し、この押し出した化粧料を有効に使用できるようにした棒状化粧料繰り出し容器に関するものである。
【０００６】
【課題を解決するための手段】
棒状化粧料１を収嵌保持する保持筒２を上下摺動させる繰り出し機構を内装し、前記保持筒２を固定部材３２と、該固定部材３２に上下摺動可能に取り付けられた摺動部材２３に分割し、該摺動部材２３を上方に摺動させる事により内部に設けられた保持部１０１により保持した棒状化粧料１を押し出す構成において、前記摺動部材２３に、棒状化粧料１を保持する保持壁面１６ｂの一部を設ける。この摺動部材２３の保持壁面１６ｂは、逆Ｕ字形状に成形し、保持壁面１６ｂの側壁に、棒状化粧料１を保持するリブ１１４若しくは保持穴１０１ｂを設ける。また、摺動部材２３の反保持壁面１６ｂ側には、脱落防止片２７ａを突設し、該脱落防止片２７ａと保持壁面１６ｂにより、押し出した棒状化粧料１を保持させる。
【０００７】
【実施例】
本発明第１実施例を図によって説明する。棒状化粧料１を収嵌保持する保持筒２は、摺動部材２３と固定部材３２より成っている。この摺動部材２３と固定部材３２は、筒体を縦に分割した形状をしており、固定部材３２のほうが円周の１／２強を占めている。
【０００８】
固定部材３２は、円弧筒状をしており、下部側壁には螺合突部１０３を突設している。この螺合突部１０３は、円周の１８０度対抗した位置に２ヵ所に設けられている。この螺合突部１０３の背面には、強化リブ１１４ｄが設けられ、螺合突部１０３が内方向にたわまない様になっている。また、固定部材３２の両側端面には、内方向に屈曲したガイド部４ｂが設けられている。このガイド部４ｂには、摺動部材２３より突出した連結片１１３ｃが係合し、固定部材３２と摺動部材２３を上下摺動自在に連結している。またこのガイド部４ｂの上端付近および下端付近には、摺動部材２３の連結片１１３ｃが当接する上部当接部１０８ａおよび下部当接部１０８ｂが設けられている。また、この上部当接部１０８ａと下部当接部１０８ｂの間には、感応突部１２９を突設している。この感応突部１２９は、摺動部材２３の連結片１１３ｃが乗り越え可能に当接するようになっている。この上部当接部１０８ａ、下部当接部１０８ｂおよび感応突部１２９の位置関係は、固定部材３２と摺動部材２３の形状が一致したときに摺動部材２３の連結片１１３ｃが下部当接部１０８ｂと感応突部１２９の間に係合し、摺動部材２３が固定部材３２より上方に突出した状態で、連結片１１３ｃが上部当接部１０８ａと感応突部１２９の間に係合するようになっている。
【０００９】
摺動部材２３は、円弧形状をしており、下部内壁に押圧片１３４ａを突設している。この押圧片１３４ａは、固定部材３２内に侵入しており、保持筒２下面より覗けるようになっている。また、摺動部材２３の上部内壁には、保持部１０１を突設している。この保持部１０１は、固定部材３２内に侵入している。この保持部１０１上方は、棒状化粧料１を収嵌保持する収嵌部１０２となっている。また、摺動部材２３の保持部１０１上方の壁面１６ｂは、逆Ｕ字状に成形されている。この壁面１６ｂには、棒状化粧料１を保持するリブ１１４が設けられている。なお、このリブ１１４は、棒状化粧料１を成形した後、保持筒２に装着する構成の場合、軸線に平行な縦状のリブ１１４となり、溶融した化粧料を充填後固形化して棒状化粧料１を成形する構成の場合、水平方向のリブ１１４となる。また、溶融した化粧料を充填後固形化して棒状化粧料１を成形する構成の場合、壁面１６ｂに保持穴１０１ｂを穿設し、この保持穴１０１ｂに化粧料を侵入させて棒状化粧料１を保持させてもよい。さらに、保持部１０１の先端、つまり保持部１０１の反壁面１６ｂ側先端には、少なくとも１片の脱落防止片２７ａを立設している。その結果、摺動部材２３が固定部材３２の上方より突出して係止した状態で、脱落防止片２７ａと壁面１６ｂのリブ１１４若しくは保持穴１０１ｂで棒状化粧料１を保持できるようになっている。また、前記押圧片１３４ａおよび保持部１０１の間には、固定部材３２のガイド部４ｂに上下摺動可能に係合する一対の連結片１１３ｃが設けられている。
【００１０】
なお、棒状化粧料１の収嵌保持方法により押圧片１３４ａおよび保持部１０１の形状が異なる。つまり、棒状化粧料１を成形した後、保持筒２に装着する場合、および溶融した化粧料を容器上方より充填して棒状に固形化する場合には、押圧片１３４ａおよび保持部１０１は、板状となっており、棒状化粧料１の下端が保持部１０１に当接するようになっている。また、溶融した化粧料を容器下方より充填して棒状に固形化する場合には、保持筒２下方より化粧料を充填する必要があるため、押圧片１３４ａおよび保持部１０１は中央に穴が開いた形状となる。この場合、保持部１０１は、棒状化粧料１内に食い込んだ形態となる。
【００１１】
この保持筒２は、スリーブ５内に上下摺動自在に内装されている。このスリーブ５下部側壁には、保持筒２の螺合突部１０３が貫通して保持筒２を回動不能に上下摺動自在に案内するガイド溝４ａが穿設されている。このガイド溝４ａは、スリーブ１１下端に開溝しており、保持筒２がスリーブ５下方より挿入できるようになっている。また、スリーブ５外壁、ガイド溝４ａ上方には、水平方向に係合凹溝１２０ｃが刻設されている。
【００１２】
このスリーブ５下部外周には、螺旋筒１０を回動自在に保持している。この螺旋筒１０の内壁には、前記保持筒２の螺合突部１０３が螺合する螺旋溝１０ａが螺設されている。この螺旋溝１０ａも螺旋筒２２下端に開溝しており、螺合突部１０３が螺旋筒１０下方より螺合させる事ができるようになっている。また、螺旋溝１０ａ上方の螺旋筒１０側壁には、逆Ｕ字状に切り欠いて弾性を有した舌片１２１ａを構成している。この舌片１２１ａの内側壁には、前記スリーブ５の係合凹溝１２０ｃと回動可能に係合する係合突部１２０を突設している。以上の保持筒２、スリーブ５、および螺旋筒１０によって繰り出し機構１７を構成している。
【００１３】
この繰り出し機構１７下部、つまりスリーブ５下部および螺旋筒１０は、本体筒６ａ内に挿入されている。この本体筒６ａの上端には、嵌合筒７が止着されている。その結果、螺旋筒１０が嵌合筒７と本体筒６ａ底部との間に回動不能に挟持された状態となる。しかも、嵌合筒７によって、螺旋筒１０の舌片１２１ａが外方向に屈曲するのが阻止され、スリーブ５と螺旋筒１０が脱落不能に連結している。嵌合筒７の上端は、本体筒６ａよりも上方に突出してキャップ８が抜脱可能に嵌合する嵌合部１１１になっている。本体筒６ａの底面には、貫通穴１１７ｂが穿設され、保持筒２内の押圧片１３４ａが外部より押圧可能となっている。また、保持筒２は、下端が本体筒６ａ底面に当接して下死点となり、螺合突部１０３がガイド溝４ａ上端に当接して上死点となる。
【００１４】
通常使用状態では、スリーブ５を保持して本体筒６ａを回転操作すると、本体筒６ａ内に回動不能に保持された螺旋筒１０に、スリーブ５内に回動不能に上下摺動自在に保持された保持筒２の螺合突部１０３が螺合しているため、螺合作用によって棒状化粧料１および保持筒２が昇降動する。保持筒２の螺合突部１０３がスリーブ５のガイド溝４ａの上端に当接した状態、つまり上死点に到達した状態では、保持筒２の上端がスリーブ５の上端の若干下方に位置する。棒状化粧料１を消費してしまった場合、保持筒２が下死点の状態で、本体筒６ａの貫通穴１１７ｂより棒を差し込み、保持筒２の摺動部材２３の押圧片１３４ａに押し当て、上方に押し上げる。その結果、摺動部材２３の連結片１１３ｃが固定部材３２のガイド部４ｂの下部当接部１０８ｂより、感応突部１２９を乗り越え、上部当接部１０８ａに移動し、固定部材３２の上方に摺動部材２３がずれた状態となる。この状態で、保持筒２を上死点まで繰り上げると、摺動部材２３の上部、つまり保持部１０１より上方、保持壁面１６ｂがスリーブ５上端より突出する。この摺動部材２３の保持部１０１により押し出された残留棒状化粧料１が塗布可能となる。この押し出された棒状化粧料１は、摺動部材２３の壁面１６ｂおよび脱落防止片２７ａによって保持され、不用意に脱落しないようになっている。
【００１５】
本発明第２実施例を図によって説明する。棒状化粧料１を収嵌保持する保持筒２は、摺動部材２３と固定部材３２より成っている。この摺動部材２３と固定部材３２は、筒体を縦に分割した形状をしており、摺動部材２３のほうが円周の１／２強を占めている。
【００１６】
摺動部材２３は、略筒状をしており、側面に固定部材３２が摺動自在に嵌合する連結溝１１３ｄが刻設されている。この摺動部材２３の下部側壁には螺合突部１０３を突設している。この螺合突部１０３は、円周の１８０度対抗した位置に２ヵ所に設けられており、一方は連結溝１１３ｄ内に突設している。この連結溝１１３ｄ内の螺合突部１０３上方には、軸線方向に長くガイド部４ｂが穿設されている。このガイド部４ｂには、固定部材３２より突出した連結片１１３ｃが係合し、摺動部材２３と摺動部材２３を上下摺動自在に連結している。
【００１７】
固定部材３２は、円弧筒形状をしており、摺動部材２３の連結溝１１３ｄ内に嵌合している。この固定部材３２の側壁には、摺動部材２３の螺合突部１０３が貫通する貫通溝１１７ａが軸線方向に長く穿設されている。この貫通溝１１７ａによって、摺動部材２３の上下摺動を規制している。この貫通溝１１７ａの位置関係は、螺合突部１０３が貫通溝１１７ａの下端に当接したときに、固定部材３２と摺動部材２３の形状が一致し、螺合突部１０３が貫通溝１１７ａの上端に当接したときに、摺動部材２３が固定部材３２より上方に突出するようになっている。また、貫通溝１１７ａの側面には、螺合突部１０３が貫通溝１１７の上端および下端に当接した時点で乗り越え可能に係合する感応突部１２９を突設している。その結果、螺合突部１０３は貫通溝１１７ａの上端および下端に、乗り越え可能に係止するようになっており、それぞれ上部当接部１０８ａおよび下部当接部１０８ｂになっている。この下部当接部１０８ｂの縁部側面には、制御突部１３０を突設している。この制御突部１３０の高さは、前記螺合突部１０３より低くなっており、後述するスリーブ５の制御溝１３０ａのみに係合するようになっている。
【００１８】
また、摺動部材２３および固定部材３２の上部内壁には、保持部１０１を設けている。この保持部１０１上方は、棒状化粧料１を収嵌保持する収嵌部１０２となっている。また、摺動部材２３の保持部１０１上方の保持壁面１６ｂは、逆Ｕ字状に成形されている。この保持壁面１６ｂには、棒状化粧料１を保持するリブ１１４が設けられている。なお、このリブ１１４は、棒状化粧料１を成形した後、保持筒２に装着する構成の場合、軸線に平行な縦状のリブ１１４となり、溶融した化粧料を充填後固形化して棒状化粧料１を成形する構成の場合、水平方向のリブ１１４となる。また、溶融した化粧料を充填後固形化して棒状化粧料１を成形する構成の場合、壁面１６ｂに保持穴１０１ｂを穿設し、この保持穴１０１ｂに化粧料を侵入させて棒状化粧料１を保持させてもよい。
【００１９】
この保持筒２は、スリーブ５内に上下摺動自在に内装されている。このスリーブ５下部側壁には、保持筒２の螺合突部１０３が貫通して保持筒２を回動不能に上下摺動自在に案内するガイド溝４ａが連続して穿設されている。このガイド溝４ａは、スリーブ１１下端に開溝しており、保持筒２がスリーブ５下方より挿入できるようになっている。このガイド溝４ａの一方には、前記保持筒２の固定部材３２の制御突部１３０が係合する制御溝１３０ａが穿設されている。この制御溝１３０ａは、上端がガイド溝４ａよりも低く設定されており、通常使用状態の上死点となる。つまり、保持筒２の固定部材３２と摺動部材２３のストロークが、ガイド溝４ａと制御溝１３０ａの差となる。また、スリーブ５外壁のガイド溝４ａ上方には、水平方向に係合凹溝１２０ｃが刻設されている。
【００２０】
このスリーブ５下部外周には、螺旋筒１０を回動自在に保持している。この螺旋筒１０の内壁には、前記保持筒２の螺合突部１０３が螺合する螺旋溝１０ａが螺設されている。この螺旋溝１０ａも螺旋筒２２下端に開溝しており、螺合突部１０３が螺旋筒１０下方より螺合させる事ができるようになっている。また、螺旋溝１０ａ上方の螺旋筒１０側壁には、逆Ｕ字状に切り欠いて弾性を有した舌片１２１ａを構成している。この舌片１２１ａの内側壁には、前記スリーブ５の係合凹溝１２０ｃと回動可能に係合する係合突部１２０を突設している。上記保持筒２、スリーブ５および螺旋筒１０により繰り出し機構１７を構成している。
【００２１】
この繰り出し機構１７の下部、つまりスリーブ５下部および螺旋筒１０は、本体筒６ａ内に挿入されている。この本体筒６ａの上端には、嵌合筒７が止着されている。その結果、螺旋筒１０が嵌合筒７と本体筒６ａ底部との間に回動不能に挟持された状態となる。しかも、嵌合筒７によって、螺旋筒１０の舌片１２１ａが外方向に屈曲するのが阻止され、スリーブ５と螺旋筒１０が脱落不能に連結している。嵌合筒７の上端は、本体筒６ａよりも上方に突出してキャップ８が抜脱可能に嵌合する嵌合部１１１になっている。また、保持筒２は、下端が本体筒６ａ底面に当接して下死点となり、螺合突部１０３がガイド溝４ａ上端に当接して上死点となる。
【００２２】
通常使用状態では、スリーブ５を保持して本体筒６ａを回転操作すると、本体筒６ａ内に回動不能に保持された螺旋筒１０に、スリーブ５内に回動不能に上下摺動自在に保持された保持筒２の螺合突部１０３が螺合しているため、螺合作用によって棒状化粧料１および保持筒２が昇降動する。保持筒２の制御突部１３０がスリーブ５の制御溝１３０ａの上端に当接した状態、つまり通常上死点に到達した状態では、保持筒２の上端がスリーブ５の上端の若干下方に位置する。棒状化粧料１を消費してしまった場合、保持筒２の通常上死点より更に繰り出し操作を行うと、固定部材３２が制御溝１３０ａの上端に当接して上昇不能の状態となり、摺動部材２３の螺合突部１０３はガイド溝４ａの上端に当接していないため上昇可能の状態となっている。その結果、摺動部材２３の螺合突部１０３が固定部材３２の貫通溝１１７ａの下部当接部１０８ｂより、感応突部１２９を乗り越え、上部当接部１０８ａに移動し、固定部材３２の上方に摺動部材２３がずれた状態となる。この状態で、摺動部材２３の上部、つまり保持部１０１より上方、保持壁面１６ｂがスリーブ５上端より突出する。この摺動部材２３の保持部１０１により押し出された残留棒状化粧料１が塗布可能となる。この押し出された棒状化粧料１は、摺動部材２３の保持壁面１６ｂが円周の１／２以上を占めているため、棒状化粧料１が保持壁面１６ｂによって保持され、不用意に脱落しないようになっている。
【００２３】
なお、保持筒２の固定部材３２と摺動部材２３を一致させた状態で係止させ、摺動部材２３を上方にずれた状態で係止させる機構は、第１実施例および第２実施例で異なる構成を述べているが、上述した作用を有する構成であれば、上記構成に限定されるものではない。また、摺動部材２３の保持壁面１６ｂは、第１実施例では全周の１／２以下、第２実施例では全周の１／２以上となっているが、それぞれ逆にすることも可能である。ただし、保持壁面１６ｂを全周の１／２以下にした場合には、保持壁面１６ｂにリブ１１４や保持穴１０１ｂを設けたり、保持部１０１に脱落防止片２７ａを設けたりするなど、棒状化粧料１の脱落防止手段を設ける必要がある。
【００２４】
また、本発明実施例においては、保持筒２の螺合突部１０３に螺合する螺旋筒１０の螺旋溝１０ａを、螺合突部１０３の数に対応した条数設けた構成を説明したが、螺旋筒１０内壁に、全周にわたって多数条の細かい螺旋溝をローレット状に設けた螺旋状ローレット１１５ａを設け、螺合突部１０３の螺合面１０３ａに隣り合った複数条の螺旋状ローレット１１５ａが螺合するようにしてもよい。この構成の場合、スリーブ５内周全周に螺旋状ローレット１１５ａが螺設されているため、どの位置でも螺合突部１０３と螺旋状ローレット１１５ａを螺合させる事ができるため、組み立て効率が向上する。など、数多くの利点を有している。
【００２５】
【発明の効果】
本発明は以上のように、保持筒２内の残留した棒状化粧料１を押し出す摺動部材２３に、保持筒２内に残留した棒状化粧料１を保持する保持壁面１６ｂを設けたため、保持筒２に残留した棒状化粧料１を塗布した際、不用意に脱落しないようになっている。しかも、残留棒状化粧料１が直接塗布不能になったとしても、スリーブ５上端より突出しているため、簡単に棒状化粧料１を取り出すことも可能になっている。したがって、保持筒２内に残留した棒状化粧料１を確実、安全に使用でき、完全に消費できるようになっている。
【図面の簡単な説明】
【図１】本発明第１実施例の棒状化粧料繰り出し容器の通常使用状態の正面断面図である。
【図２】本発明第１実施例の棒状化粧料繰り出し容器の棒状化粧料押し出し状態の正面断面図である。
【図３】図２における斜視図である。
【図４】本発明第１実施例の固定部材の斜視図である。
【図５】本発明第１実施例の摺動部材の斜視図である。
【図６】本発明第２実施例の棒状化粧料繰り出し容器の通常使用状態の正面断面図である。
【図７】本発明第２実施例の棒状化粧料繰り出し容器の棒状化粧料押し出し状態の正面断面図である。
【図８】図７における斜視図である。
【図９】本発明第２実施例の固定部材の斜視図である。
【図１０】本発明第２実施例の摺動部材の斜視図である。
【図１１】本発明第２実施例の保持筒通常上死点におけるスリーブ及び保持筒の正面図である。
【図１２】本発明第２実施例の棒状化粧料押し出し状態におけるスリーブ及び保持筒の正面図である。
【図１３】本発明その他の実施例の螺旋筒の部分断面斜視図である。
【図１４】本発明その他の実施例の保持筒の斜視図である。
【符号の説明】
１    棒状化粧料
２    保持筒
１６ｂ  保持壁面
１７    繰り出し機構
２３    摺動部材
２７ａ  脱落防止片
３２    固定部材
１０１    保持部
１０１ｂ  保持穴
１１４    リブ
【図１】
2004229693.tif 000003
【図２】
2004229693.tif 000004
【図３】
2004229693.tif 000005
【図４】
2004229693.tif 000006
【図５】
2004229693.tif 000007
【図６】
2004229693.tif 000008
【図７】
2004229693.tif 000009
【図８】
2004229693.tif 000010
【図９】
2004229693.tif 000011
【図１０】
2004229693.tif 000012
【図１１】
2004229693.tif 000013
【図１２】
2004229693.tif 000014
【図１３】
2004229693.tif 000015
【図１４】
2004229693.tif 000016